(57)【要約】【課題】再閉されたシールの強度が、元のまだ開封されていない強度より大幅に低いが、包装が再閉された状態で信頼性の高いシールを提供するのに十分なシールを提供する。【解決手段】食料品に関する再閉可能な包装における第１と第２のシール部分の間に形成されたコールドシールであって、シールが開封されたとき、コールドシールが分離され部分的に第１のシール部分に接着し部分的に第２のシール部分に接着するように、第１および第２のシール部分へのコールドシールの接合力が、コールドシール内の接合力よりも大きくなっているコールドシール。好ましくは、２．５〜４Ｎ／１５ｍｍの最初の開封力、および０．５〜２Ｎ／１５ｍｍ、好ましくは、１〜１．５Ｎ／ｌ５ｍｍの１つまたは複数の再閉に関する開封力を伴うシール。【選択図】なし【特許請求の範囲】
【請求項１】
最初の未開封の状態において、第１のシール部分、第２のシール部分、および、前記第１のシール部分と前記第２のシール部分の間に形成されたコールドシール、を有する再閉可能な包装であって、
シールが開封されたとき、前記コールドシールが分離されて、前記コールドシールの一部は前記第１のシール部分に接着し、前記コールドシールの他の一部は前記第２のシール部分に接着した密着性スプリットが形成するように、前記第１および第２のシール部分への前記コールドシールの接合力は、前記コールドシール内の最初の接合力よりも大きくなっており、
前記コールドシールは、さらに、再閉に対する開封力が最初の開封力よりも低い状態で前記包装をシールし、
少なくとも１つの前記第１および第２のシール部分は被覆を有し、前記被覆は０．５グラム／ｍ２から１．５グラム／ｍ２の量で塗布される、
ことを特徴とする再閉可能な包装。
【請求項２】
前記被覆がアクリルポリマーまたはコポリマーであることを特徴とする前記請求項１に記載の再閉可能な包装。
【請求項３】
前記被覆は、約０．９グラム／ｍ２の量で塗布されることを特徴とする前記請求項１に記載の再閉可能な包装。
【請求項４】
前記コールドシールは、天然のラテックスベースのコールドシールであることを特徴とする前記請求項１に記載の再閉可能な包装。
【請求項５】
前記コールドシールは、少なくとも１つのアクリルポリマーまたはコポリマーを含むことを特徴とする前記請求項１に記載の再閉可能な包装。
【請求項６】
前記コールドシールは、少なくとも２つの異なったスチレンアクリルポリマーまたはコポリマーを含むことを特徴とする前記請求項５に記載の再閉可能な包装。
【請求項７】
前記コールドシールは、２Ｎ／１５ｍｍから４Ｎ／１５ｍｍの最初の開封力、および０．５Ｎ／１５ｍｍから２Ｎ／１５ｍｍの１または複数の再閉に対する開封力を有することを特徴とする前記請求項１に記載の再閉可能な包装。
【請求項８】
前記シールは、２．５Ｎ／１５ｍｍから４Ｎ／１５ｍｍの最初の開封力、および１Ｎ／１５ｍｍから１．５Ｎ／１５ｍｍの１または複数の再閉に対する開封力を有することを特徴とする前記請求項７に記載の再閉可能な包装。
【請求項９】
前記コールドシールは、天然のラテックスベースのコールドシールであることを特徴とする前記請求項７に記載の再閉可能な包装。
【請求項１０】
前記コールドシールは、少なくとも１つのアクリルポリマーまたはコポリマーを含むことを特徴とする前記請求項７に記載の再閉可能な包装。
【請求項１１】
前記コールドシールは、少なくとも２つの異なったスチレンアクリルポリマーおよびコポリマーを含むことを特徴とする前記請求項１０に記載の再閉可能な包装。
【請求項１２】
最初の未開封の状態において、第１のシール部分、第２のシール部分、および、前記第１のシール部分と前記第２のシール部分の間に形成されたコールドシール、を有する再閉可能な包装であって、
シールが開封されたとき、前記コールドシールが分離されて、前記コールドシールの一部は前記第１のシール部分に接着し、前記コールドシールの他の一部は前記第２のシール部分に接着した密着性スプリットが形成するように、前記第１および第２のシール部分への前記コールドシールの接合力は、前記コールドシール内の最初の接合力よりも大きくなっており、
前記コールドシールは、さらに、再閉に対する開封力が最初の開封力よりも低い状態で前記包装をシールし、
前記コールドシールは３グラム／ｍ２から５グラム／ｍ２の量で塗布される、
ことを特徴とする再閉可能な包装。
【請求項１３】
前記コールドシールは３．５グラム／ｍ２から４．９グラム／ｍ２の量で塗布されることを特徴とする前記請求項１２に記載の再閉可能な包装。
【請求項１４】
再閉可能な包装であって、
再閉可能な包装における第１のシール部分および第２のシール部分；
最初の未開封の状態における、前記第１のシール部分と第２のシール部分に接合したコールドシール接着剤の単一のストリップであって、前記コールドシール接着剤はそれぞれのシール部分上に３グラム／ｍ２から５グラム／ｍ２の量で塗布される、単一のストリップ；
前記第１および第２のシール部分の双方への前記コールドシール接着剤の単一のストリップの接合力は、前記コールドシール接着剤の単一のストリップ内における分離力よりも大きく、
前記包装が開封されて前記第１のシール部分が前記第２のシール部分と分離されたとき、前記コールドシールの断裂に起因して、前記コールドシール接着剤の単一のストリップの内部に形成される密着性スプリット；
前記包装が開封された後に、前記密着性スプリットの位置で、前記コールドシール接着剤の単一のストリップは、その内部において、分離され、その第一部分は前記第１のシール部分に接合したまま残留し、その第２部分は前記第１のシール部分に接合したまま残留する、
ことを特徴とする再閉可能な包装。
【請求項１５】
最初の未開封の状態における前記コールドシール接着剤の単一のストリップ内における分離力は前記第１および第２のシール部分の双方への前記コールドシール接着剤の単一のストリップの接合力よりも低いことを特徴とする前記請求項１４に記載の再閉可能な包装。
【請求項１６】
前記コールドシールは、２Ｎ／１５ｍｍから４Ｎ／１５ｍｍの最初の開封力、および０．５Ｎ／１５ｍｍから２Ｎ／１５ｍｍの１または複数の再閉に対する開封力を有することを特徴とする前記請求項１４に記載の再閉可能な包装。
【請求項１７】
前記密着性スプリットは、前記コールドシール接着剤の断面積の少なくとも約５０％において生じることを特徴とする前記請求項１４に記載の再閉可能な包装。
【請求項１８】
第１のシール部分、第２のシール部分、および前記第１のシール部分と前記第２のシール部分の間に形成されたコールドシールを有し、最初の未開封の状態において包装をシールする再閉可能な包装であって、
前記第１および第２のシール部分への前記コールドシールの接合力は、前記コールドシール内の接合力よりも大きく、シールが開封されたとき、前記コールドシールは、分離して、部分的に第１のシール部分に接着し、部分的に第２のシール部分に接着し、
前記コールドシールは、さらに、前記包装を再閉状態にシールし、
前記再閉状態における接合力は最初の、接合力よりも低く、
前記コールドシールは、硬いコールドシールであり、少なくとも１つのアクリルポリマーまたはコポリマーを含み、前記コールドシールは、ポリマー／コポリマー含有率が５０％を超え、
少なくとも１つの前記第１および第２のシール部分は、アクリルコーティングまたはプライマーで塗布される、
ことを特徴とする再閉可能な包装。
【請求項１９】
前記再閉可能な包装は、２Ｎ／１５ｍｍから４Ｎ／１５ｍｍの最初の開封力、および０．５Ｎ／１５ｍｍから２Ｎ／１５ｍｍの１または複数の再閉に対する開封力を有するシールを備えていることを特徴とする前記請求項１８に記載の再閉可能な包装。
【請求項２０】
前記コーティングは、約０．５グラム／ｍ２から１．５グラム／ｍ２の量で塗布されることを特徴とする前記請求項１８に記載の再閉可能な包装。
【請求項２１】
前記コールドシールは、天然のラテックスベースのコールドシールであることを特徴とする前記請求項１８に記載の再閉可能な包装。
【請求項２２】
前記コールドシールは、少なくとも１つのアクリルポリマーまたはコポリマーを含むことを特徴とする前記請求項２１に記載の再閉可能な包装。
【請求項２３】
前記コールドシールは、それぞれのシール部分上に、３グラム／ｍ２から５グラム／ｍ２の量で塗布されることを特徴とする前記請求項１８に記載の再閉可能な包装。
【請求項２４】
２Ｎ／１５ｍｍから４Ｎ／１５ｍｍの最初の開封力、および１Ｎ／１５ｍｍから１．５Ｎ／１５ｍｍの１または複数の再閉に対する開封力を有するシールを備えていることを特徴とする前記請求項１９に記載の再閉可能な包装。
【請求項２５】
前記コーティングは、約０．９グラム／ｍ２の量で塗布されることを特徴とする前記請求項２０に記載の再閉可能な包装。
【請求項２６】
前記コールドシールは、それぞれのシール部分上に、３．５グラム／ｍ２から４．９グラム／ｍ２の量で塗布されることを特徴とする前記請求項２３に記載の再閉可能な包装。
【発明の詳細な説明】
【技術分野】
【０００１】
本発明は、再閉可能な包装に関する。
【背景技術】
【０００２】
特に、食料品用包装の分野では、開封が容易であって、かつ、再閉可能な包装を消費者に提供することが望ましい。再閉可能な包装では、開封し再閉する度にシールの強さが低下することが問題である。特に、一方で、包装は、再閉可能であるが、シールは、再閉した状態で、クラムまたはチョコレートの小さな片などの製品の部分、あるいはチョコレートバーまたはタブレットなどの比較的大きな製品の残りの部分の一部分だけが消費される場合に、それらを保持するのに十分な強さがない。同時に、再閉されたシールの強度が比較的高い場合、消費者は、包装が再閉された状態ではなく、最初のまだ開封されていない状態である印象を持つ可能性がある。
【先行技術文献】
【特許文献】
【０００３】
【特許文献１】欧州特許出願公開第１２８８１３９号明細書
【特許文献２】欧州特許出願公開第１７１４８９５号明細書
【発明の概要】
【発明が解決しようとする課題】
【０００４】
再閉されたシールの強度が元のまだ開封されていない強度より大幅に低いが、包装が再閉された状態で信頼性の高いシールを提供するのに十分高いことがのぞましい。
【課題を解決するための手段】
【０００５】
本出願人による特許文献１は、開封が容易で再閉できる包装に関連する。
【０００６】
本出願人による特許文献２は、不正操作の証（ｔａｍｐｅｒ ｅｖｉｄｅｎｃｅ）の特徴を有する再閉可能な包装を述べている。言い換えれば、包装が最初に開封された場合、最初の開封があったことおよび包装が最初の未開封の状態でなく再閉された状態にあるという情報を客に提供するように、それが消費者に視覚的に示される。
【０００７】
上述の包装の両方に関して、その実施形態および好ましい特徴のすべてを含む以下に述べる本発明は、上述の文献に記載された包装に適用可能であることに留意されたい。したがって、特に包装およびそのシールの特徴に関するこれらの文献の開示は、参照により本明細書に含まれ、本出願の主題として見なされる。
【０００８】
本発明の基本的な目的は、再閉能力の特徴に関して改善された包装を提供する。
【０００９】
この目的は、請求項１または２の主題によって解決される。好ましい実施形態は、別の請求項の主題である。
【発明を実施するための形態】
【００１０】
上述の目的の第１の解決策によれば、食料品に関する再閉可能な包装が第１と第２のシール部分の間に形成されたシールを有する。シール部分は、包装を構成する基材の部分として提供することができる。言い換えれば、基材は、その部分の間にシールが形成できるように、それ自体の上に適切に折りたたむことができる。特に、本出願による包装は、軸の方向に平行に設けられたフィンシール（ｆｉｎ ｓｅａｌ）と呼ばれるものを有するフロー包装（ｆｌｏｗ ｐａｃｋａｇｅ）と呼ばれるものとして提供でき、その軸の周りに基材が折りたたまれて包装が形成される。さらに、端部シールを端部に設けることができる。本出願に関連して、再閉能力を向上させるために、１つまたは複数の端部シールおよび／またはフィンシールが下記に述べる特徴を備えることができる。さらに、こうした領域にのみ再閉能力を向上させるために、これらのシールのうちの一部分のみが以下に述べるように形成できる。
【００１１】
シールは、第１と第２のシール部分の間に塗布されたコールドシールによって形成される。コールドシールは、パターンの第１および／または第２のシール部分に設けることができる。コールドシールは、接着剤であってもよい。本発明に関連して、改善された再閉能力を提供するためにコールドシールが最も適していることが分かった。ここでは特に、第１および第２のシール部分へのコールドシールの接合力がコールドシール内の接合力よりも大きいコールドシールが第１と第２のシール部分の間に形成される場合に、再閉能力の特性が改善できることが分かった。これによって、コールドシールは、包装が開封されシールが破かれる場合に分離する。その結果、コールドシールは、部分的に第１のシール部分に接着し、部分的に第２のシール部分に接着する。コールドシールのこの挙動により、十分な最初のシール力および再閉能力、ならびにその製品または部分を保持するのに十分高いシール力であって、同時に包装が再閉状態にあることを消費者が有利に感じとることができるように、最初の接合力よりもいくぶん低い再閉後のシール力をもたらすシールを有する再閉可能な包装になる。
【００１２】
これは密着性スプリット（ｃｏｈｅｓｉｖｅ ｓｐｌｉｔ）と呼ぶことができ、特にコールドシールは信頼性が高い状態で第１と第２のシール部分に留まり、シールが開封された場合に第１または第２のシール部分から上方の層を引き裂かないので特に有利である。製造中は、現在のところコールドシールを第１および第２のシール部分の両方に適用することが好ましい。包装がシールされる場合、これらのシール部分は一緒になり、両方のシール部分のコールドシールは互いに接合される。これは、シールが破られたとき所望の密着性スプリットを得るための優れた基礎を提供し、それによってより卓越した再閉能力がもたらされることが分かった。下記により詳細に説明されるように、第１および第２のシール部分は、様々な層を有する基材の部分として設けることができる。コールドシールと（コールドシールが設けられる）シール部分の最上層との間の接合があまりにも高い場合、コールドシールにより上方の層が基材から分離される危険がある。これは再閉の信頼性を低下させるので望ましくない。コールドシールの一部分が第１のシール部分に留まり、コールドシールの別の部分が第２のシール部分に留まり、それによってコールドシールのこれらの部分が、包装が再閉されるときに一緒になる場合、この信頼性は特に確実にできる。言い換えれば、コールドシールは、その厚さに対して分離される。したがって、ある表面の部分が考慮される場合、その第１のシール部分に近いコールドシールの部分は第１のシール部分に接着し、その第２のシール部分に近いコールドシールの部分は第２のシール部分に接着する。この密着性スプリットは、コールドシールの領域の少なくとも５０％、好ましくは少なくとも７０％、最も好ましくは１００％で起こる。ある部分では、コールドシールは第１または第２のシール部分に完全に接着することができ、それによって再閉性の特性は低下しない。
【００１３】
第２に、本発明によれば、改善された再閉可能な包装は、２、好ましくは２．５から４Ｎ／１５ｍｍの最初の開封力、および０．５から２Ｎ／１５ｍｍ、好ましくは、１から１．５Ｎ／１５ｍｍの１つまたは複数の再閉に関する開封力を伴うシールを有する包装によってもたらすことができる。提示された力は、１５ｍｍの幅を有し、説明したシールを備える材料のストリップを剥がすのに必要な力に相当する。この力は、特にＤＩＮ５５５２９に関するドラフト（ｄｒａｆｔ）によって測定できる。提示された力は、第１に、十分な最初の開封力をもたらすことを示し、それは同時に消費者が包装を開封するのが困難になるほど高くない。再閉された状態に関する開封力は、第１に、製品またはその部分を保持するのに十分高く、第２に消費者が再閉された状態とまだ開封されていない状態との間の違いを感じることができるように最初の開封力よりかなり低い。開封力は再閉が多くなるにつれて次第に小さくなる可能性がある。しかし、現在のところ、開封力は、４回目の再閉後になお１Ｎ／１５ｍｍより上であることが好ましい。さらに、最初の開封力がたとえば２．５Ｎ／１５ｍｍより上など、なおいくぶん高いことを条件として、第１回目の再閉に関する開封力は２Ｎ／１５ｍｍの上であることができる。上述の値はさらに、第１および第２のシール部分の層間剥離を避けるために効果的であることが示された。上述のように、通常、これらの部分は様々な層を有するフィルムタイプの基材の一部分として設けられる。コールドシールと基材の最上層との間の接合力があまりにも高い場合、基材の最上層がコールドシールと共に基材から分離する危険がある。上記に示されたように、接合力に関する上記の値は、この望ましくない状況が起こるのを防ぐ。
【００１４】
本明細書で説明する包装は、包むことができるチョコレート、チーズスライス、およびビスケット、（健康）フードバーなどの食料品の固体または片に特に適している。本明細書で説明する包装は非食料製品の固体または片にも適し、それに対して容易に開封できる、および／または再閉可能な包装を提供することが有益である。
【００１５】
最後に、第１および第２のシール部分のうちの少なくとも１つが比較的低い表面粗さを有する、言い換えれば比較的滑らかである場合に、再閉能力の特性を改善することもできる。これは、たとえば、第１および／または第２のシール部分がそれによって被覆できるアクリル被覆またはプライマーによって達成することができる。コールドシールは、包装が最初に開封された場合に、いわゆる密着性スプリットを受けることが分かった。言い換えれば、シールが最初に開封された場合、すなわち第１および第２の表面部分が分離した場合に、コールドシールの一部分は第１の表面部分に留まり、コールドシールの一部分は第２の表面部分に留まる。そのような密着性スプリットが達成される場合に、再閉能力の特性が特に優れていることが分かった。包装が再閉された場合、コールドシールの分離された部分は一緒になり、たとえば５または６回の多くの再閉の後でも、製品ならびにクラムなどのその小さな片を保持するのに十分高いことが示された接合力を提供する。同時に、最初に使用されるよりも小さな開封力が要求されるように、消費者は包装が最初の閉じられた状態でなく再閉された状態であることを感じることができる。したがって、改善された再閉可能な包装が提供できる。再閉能力は、本明細書に説明される全ての実施形態でより一貫性があり信頼性の高いものである。
【００１６】
所望の表面粗さ、コールドシールの密着性スプリット、ならびに所望の接合力のそれぞれに関しては、本発明に関連して、好ましくはアクリル被覆またはプライマーによって第１および／または第２のシール部分を被覆することが有益であることが分かった。上述の被覆は、０．５から１．５ｇ／ｍ２、好ましくは約０．９ｇ／ｍ２の量で塗布できる。これらの値を使用した試験は、有利な特性を示した。
【００１７】
これは好ましいタイプのコールドシール、すなわち天然のラテックスベースのコールドシールにも適用される。そのようなシールに関しては、剥がして開封することが低いストリンギング（ｓｔｒｉｎｇｉｎｇ）またはウェビング（ｗｅｂｂｉｎｇ）の効果によって行うことができることが分かった。
【００１８】
一般に、好ましいコールドシールは、比較的高いゴム含有率および比較的低いポリマーの含有率を伴う従来の「柔らかい」コールドシールと比べて「硬い」コールドシールであると表現できる。高いゴム含有率は、望ましくないストリンギングまたはウェビング効果を招き、それによってコールドシールのストリングがシール部分から分離される。対照的に、好ましい「硬い」コールドシールは、より少ないゴムおよびより多いポリマーまたはコポリマー、特にアクリルポリマーまたはコポリマーを含む。ここでは、約３０％、好ましくは約５０％、およびより好ましくは約７０％のポリマー／コポリマーの含有率が有利である。特に、少なくとも１つのアクリルポリマーまたはコポリマーを含むコールドシールが優れた再閉能力をもたらすことが分かった。特に、そのようなタイプのコールドシールは、第１および／または第２のシール部分のアクリル被覆と有利に結合できる。この結合により、特に優れた再閉能力の特性がもたらされ、上述のような信頼性の高い密着性スプリットが生じることが分かった。しかし本発明がそれに対して限定されない１つの説明は、アクリル被覆およびアクリルポリマーまたはコポリマーが互いに対する優れた固着をもたらすことである。
【００１９】
ここでは、現在のところ、コールドシールが少なくとも１つのスチレンアクリルポリマーまたはコポリマー、好ましくはその２つの異なる種類を含むことが好ましい。特に、より柔らかいスチレンアクリルポリマーまたはコポリマーが比較的大きな分子を有することができ、ゴム、特に天然ラテックスベースのゴムと共に良好な最初のシールをもたらす。
【００２０】
特に、Ｓｗａｌｅ ｇｒａｄｅ ８１１３のコールドシールを使用して卓越した試験結果が得られた。よって、それは、本発明に関連する好ましいコールドシールである。
【００２１】
試験は、同じく塗布されるコールドシールの最も有利な量に関して行われた。ここでは、各シール部分に３から５、好ましくは３．５から４．９ｇ／ｍ２の量を使用して非常に優れた結果を得ることができた。
【実施例】
【００２２】
本発明による包装は、たとえば、以下の構造を有する基材から形成できる。第１および第２のシール部分が設けられる、基材を構成するフィルムの全体の厚さは、６０μと７０μの間であることができる。包装の外側から始まり、約３μの厚さを有するＯＰＰ（配向ポリプロピレン）火炎処理剥離層が、フィルムのブロッキングおよび／またはコールドシールの剥ぎ取りを避けるために設けられる。次の層が包装の内側に向かうと、約１４μの厚さを有する透明なＯＰＰコアが、基材に剛性を与え、図的な情報を加えるために使用される以下に示すインクを保護し、光沢のある外観を与えるために設けられることが好ましい。
【００２３】
次に、約３μのＯＰＰコロナ処理剥離層が接合を促進するために設けられる。次に、２から３ｇ／ｍ２の量の接着剤が、上述のＯＰＰフィルムを束ねるために設けられる。
【００２４】
包装の内側に向かって、約１から４ｇ／ｍ２のインクが図的な情報を表示するために塗布される。
【００２５】
次に、包装の内側に向かって、約０．９ｇ／ｍ２のアクリルコーティングが、アロマバリア（ａｒｏｍａ ｂａｒｒｉｅｒ）および／またはその上に印刷するのに適した表面として存在する。
【００２６】
次に、約０．３ｇ／ｍ２のプライマーが被覆の接着のために供給される。次の層が包装の内側に向かうと、約３μの厚さを有するＯＰＰスキン層が以下に示すコア層を保護するために存在する。コア層は、剛性、不透明性、および光線からの保護を与えるために、たとえば、約２７μから３７μの厚さを有するスーパーホワイト（ｓｕｐｅｒ ｗｈｉｔｅ）の不透明な気泡化されたＯＰＰから形成される。
【００２７】
包装の内側に向かって、約３μの別のＯＰＰスキン層が上述のコア層を保護するために設けられる。包装の内側に向かって、被覆の接着のためにプライマーが約０．３ｇ／ｍ２の量で存在することが好ましい。次に、好ましい例では、アロマバリア、およびコールドシールのパターンを塗布するのに適した表面を設けるための優れた滑らかさまたは所定の値以下の表面粗さを有する表面を設けるために、アクリルコーティングが約０．９ｇ／ｍ２の量で与えられる。コールドシールは、シールを設けるために約４ｇ／ｍ２の量で塗布されることが好ましく、それは開封し再閉可能にするのが容易であることが好ましい。
【００２８】
接合力に関して、およびまだ示されていない限りでは、第１および／または第２のシール部分への、言い換えれば、上記の例でのアクリル被覆へのコールドシールの接着強度は、上述の密着性スプリットを達成するために４．５と７Ｎ／１５ｍｍの間であることが好ましい。したがって、層間剥離をなくす、言い換えれば基材からアクリル被覆を取り去るコールドシールの効果をなくすために、アクリルコーティングとプライマーの間の接着強度は、コールドシールとアクリルコーティングの間の強度よりも高いことが好ましい。